(57)【要約】【課題】地上に前後及び横方向の開き代を要することなくコンパクトに設置可能で、電動で操作性良く簡単に開閉することができる電動式昇降型門扉を提供すること。【解決手段】扉体１１を昇降動せしめる駆動機構と、前記扉体１１の昇降動に伴って該扉体１１を回動させてその姿勢を垂直全閉状態と水平全開状態との間で変化させるガイド手段を含んで電動式昇降型門扉１を構成する。ここで、前記駆動機構を、電動モータと、該電動モータによって回転駆動されるチェーン伝動機構を含んで構成する。又、前記ガイド手段を、垂直に配される左右一対の第１のガイドレール９と、垂直部１０ａと水平部１０ｂをＲ状部１０ｃで連結して成る逆Ｌ字状の左右一対の第２のガイドレール１０とで構成する。【選択図】図４
2006328781.tif 000002
【特許請求の範囲】
【請求項１】
扉体を昇降動せしめる駆動機構と、前記扉体の昇降動に伴って該扉体を回動させてその姿勢を垂直全閉状態と水平全開状態との間で変化させるガイド手段を含んで構成されることを特徴とする電動式昇降型門扉。
【請求項２】
前記駆動機構を、電動モータと、該電動モータによって回転駆動されるチェーン伝動機構を含んで構成するとともに、前記チェーン伝動機構のチェーンの一部を前記扉体に取り付けたことを特徴とする請求項１記載の電動式昇降型門扉。
【請求項３】
前記チェーン伝動機構を前記扉体の左右にそれぞれ設け、これらのチェーン伝動機構を連結シャフトにて連結して前記電動モータで両チェーン電動機構を同時に駆動することを特徴とする請求項２記載の電動式昇降型門扉。
【請求項４】
前記ガイド手段を、垂直に配される左右一対の第１のガイドレールと、垂直部と水平部をＲ状部で連結して成る逆Ｌ字状の左右一対の第２のガイドレールとで構成し、前記扉体の左右両側の下端部をガイドローラを介して前記第１のガイドレールに移動可能に係合せしめ、同扉体の左右両側の上端部をガイドローラを介して前記第２のガイドレールに係合せしめたことを特徴とする請求項１〜３の何れかに記載の電動式昇降型門扉。
【請求項５】
機能門柱を一体に組み込んだことを特徴とする請求項１〜４の記載の電動式昇降型門扉。
【発明の詳細な説明】
【技術分野】
【０００１】
本発明は、電動モータによって扉体を昇降動させつつ、その姿勢を変化させて該扉体を開閉するようにした電動式昇降型門扉に関するものである。
【背景技術】
【０００２】
一般住宅等に設けられる門扉の形式としては、開き戸（観音開き）タイプ、伸縮タイプ、引き戸タイプ等が一般的に知られている。
【０００３】
ここで、開き戸（観音開き）タイプの門扉は、扉体を前後にスイングさせて開閉するものであり、伸縮タイプの門扉は、伸縮自在な扉体を横方向に移動させてこれを開閉するものである。又、引き戸タイプの門扉は、扉体を走行用レールに沿って横方向に移動させて開閉するものである。
【発明の開示】
【発明が解決しようとする課題】
【０００４】
しかしながら、開き戸（観音開き）タイプの門扉は、開閉時に扉体を前後にスイングさせるために、開閉動作範囲が広く、前後に開き代として大きな空間を要するという問題を有している。
【０００５】
又、伸縮タイプと引き戸タイプの門扉は、扉体を横方向に移動させるために開閉動作範囲が広く、横方向の畳み代或は横方向の開く代として大きな空間を要するという問題を有している。更に、引き戸タイプの門扉は、走行用レールを必要とするため、近年のバリアフリーの要求に対応することができないという欠点を有している。
【０００６】
本発明は上記問題に鑑みてなされたもので、その目的とする処は、地上に前後及び横方向の開き代を要することなくコンパクトに設置可能で、電動で操作性良く簡単に開閉することができる電動式昇降型門扉を提供することにある。
【課題を解決するための手段】
【０００７】
上記目的を達成するため、請求項１記載の発明は、扉体を昇降動せしめる駆動機構と、前記扉体の昇降動に伴って該扉体を回動させてその姿勢を垂直全閉状態と水平全開状態との間で変化させるガイド手段を含んで電動式昇降型門扉を構成したことを特徴とする。
【０００８】
請求項２記載の発明は、請求項１記載の発明において、前記駆動機構を、電動モータと、該電動モータによって回転駆動されるチェーン伝動機構を含んで構成するとともに、前記チェーン伝動機構のチェーンの一部を前記扉体に取り付けたことを特徴とする。
【０００９】
請求項３記載の発明は、請求項２記載の発明において、前記チェーン伝動機構を前記扉体の左右にそれぞれ設け、これらのチェーン伝動機構を連結シャフトにて連結して前記電動モータで両チェーン伝動機構を同時に駆動することを特徴とする。
【００１０】
請求項４記載の発明は、請求項１〜３の何れかに記載の発明において、前記ガイド手段を、垂直に配される左右一対の第１のガイドレールと、垂直部と水平部をＲ状部で連結して成る逆Ｌ字状の左右一対の第２のガイドレールとで構成し、前記扉体の左右両側の下端部をガイドローラを介して前記第１のガイドレールに移動可能に係合せしめ、同扉体の左右両側の上端部をガイドローラを介して前記第２のガイドレールに係合せしめたことを特徴とする。
【００１１】
請求項５記載の発明は、請求項１〜４の何れかに記載の発明において、機能門柱を一体に組み込んだことを特徴とする。
【発明の効果】
【００１２】
請求項１記載の発明によれば、扉体を駆動機構によって昇降動させつつ、ガイド手段によって該扉体を回動させてその姿勢を垂直全閉状態と水平全開状態との間で変化させて開閉するようにしたため、地上に前後及び横方向の開き代が不要となり、当該電動式昇降型門扉をコンパクトに設置することができるとともに、該門扉を電動で操作性良く簡単に開閉することができる。又、地上に走行用レール等の突起物を設置する必要がないため、バリアフリーの要求にも対応することができ、例えば車椅子での出入りも可能となる。
【００１３】
請求項２記載の発明によれば、扉体を昇降動させるための駆動機構を電動モータとチェーン伝動機構を含んで簡素に構成することができる。
【００１４】
請求項３記載の発明によれば、扉体の左右に設けられたチェーン伝動機構を連結シャフトにて連結し、これらを電動モータで同時に駆動するようにしたため、扉体の左右のバランスが良好に保たれ、該扉体がスムーズに昇降動して開閉される。
【００１５】
請求項４記載の発明によれば、扉体の左右両側の下端部を垂直な第１のガイドレールに沿って昇降動させれば、同扉体の左右両側の上端部が逆Ｌ字状の第２のガイドレールに沿って移動して扉体の姿勢が垂直全閉状態と水平全開状態との間で変化せしめられ、これによって扉体が開閉される。
【００１６】
請求項５記載の発明によれば、機能門柱を当該電動式昇降型門扉に一体に組み込んだため、省スペースとデザインの一体感の向上が図られる。
【発明を実施するための最良の形態】
【００１７】
以下に本発明の実施の形態を添付図面に基づいて説明する。
【００１８】
図１は本発明に係る電動式昇降型門扉の斜視図、図２は同電動式昇降型門扉の正面図、図３は同電動式昇降型門扉の平面図、図４は図２のＡ−Ａ線断面図、図５は図２のＢ部拡大詳細図、図６は図２のＣ部拡大詳細図、図７は図３のＤ部拡大詳細図、図８は図３のＥ部拡大詳細図、図９は図２のＦ−Ｆ線拡大断面図、図１０は図２のＧ−Ｇ線拡大断面図である。
【００１９】
本発明に係る電動式昇降型門扉１は、地中に垂直に立設された左右一対の支柱２を備えており、これらの支柱２の上端間には水平な上部フレーム部材３が横架され、この上部フレーム部材３と左右の支柱２とで矩形の枠体が構成されている。そして、図１及び図２に示すように、正面視で左側の支柱２の左には機能門柱４が垂直に立設されている。ここで、機能門柱４には、表札５、インターホン６、電子錠７、郵便受け８等が備えられている。
【００２０】
前記左右一対の支柱２は、図７〜図１０に示すように、例えばアルミニウム製の矩形パイプで構成されており、その内部にはガイド手段としての矩形パイプ状の第１のガイドレール９と第２のガイドレール１０がそれぞれ設けられている。尚、第１及び第２のガイドレール９，１０も例えばアルニウム製の矩形パイプで構成されている。
【００２１】
図４に示すように、上記第１のガイドレール９は、支柱２に沿って垂直に起立しており、その相対向する内側面には上下方向にスリット９ａが形成されている（図７〜図１０参照）。そして、第１のガイドレール９には、矩形枠体状の扉体１１の左右両側下端部が４つのガイドローラ１２を介して上下に移動可能に係合している。
【００２２】
即ち、図９及び図１０に示すように、扉体１１の左右両側下端部には軸１３が外側方に向かって突設されており、各軸１３は各第１のガイドレール９の内側面に形成された前記スリット９ａを貫通して第１のガイドレール９内に臨み、その端部には横断面コの字状のチャンネル材１４が取り付けられている。そして、各チャンネル材１４には上下左右の計４つの前記ガイドローラ１２が不図示の軸によって回転可能に軸支されており、これらのガイドローラ１２が第１のガイドレール９の内面に沿って転動することによって、扉体１１の左右両側下端部が第１のガイドレール９に沿って上下に移動する。
【００２３】
又、前記第２のガイドレール１０は、図４に示すように、支柱２に沿って第１のガイドレール９に対して平行に上下に延びる垂直部１０ａとその上方を後方（図４の右方）に向かって水平に延びる水平部１０ｂとを円弧状のＲ状部１０ｃで連結して逆Ｌ字状に成形されており、その相対向する内側面にはスリット１０ｄが形成されている（図７〜図１０参照）。そして、第２のガイドレール１０には、扉体１１の左右両側上端部がガイドローラ１５を介して移動可能に係合している。
【００２４】
即ち、図９及び図１０に示すように、扉体１１の左右両側上端の背面（図９及び図１０において上面）には平面視Ｌ字状のブラケット１６が結着されており、各ブラケット１６の後方へ延びる部分の端部には軸１７が外側方に向かってそれぞれ突設されている。そして、各軸１７は第２のガイドレール１０の内側面に形成された前記スリット１０ｄを貫通して第２のガイドレール１０の内部に臨んでおり、その端部には前記ガイドローラ１５が回転可能に軸支されている。従って、ガイドローラ１５が第２のガイドレール１０の内面に沿って転動することによって、扉体１１の左右両側上端部が第２のガイドレール１０に沿って移動し、後述のように扉体１１が回動してその姿勢を変える。
【００２５】
尚、図１、図３及び図４に示すように、前記水平フレーム部材３からは矩形枠体状のルーフ部材１８が後方に向かって延びており、このルーフ部材１８の後端部は、左右一対の前記第２のガイドレール１０の水平部の後端によって支持されている。
【００２６】
他方、図２及び図３に示すように、前記水平フレーム部材３の正面視で左側部分の内部には駆動源としての電動モータ１９が横置き状態で配設されており、この電動モータ１９には減速機構２０が取り付けられている。又、水平フレーム材３の内部には、連結シャフト２１がその両端部を軸受部材２２によって回転可能に支持されて前記減速機構２０の出力軸２３と同軸で横方向に長く配されており、該連結シャフト２１の一端は、図５に詳細に示すように、カップリング２４によって前記出力軸２３に連結されている。そして、出力軸２３の左右両端部には、図５及び図６に詳細に示すように、スプロケット２５が結着されている。
【００２７】
又、左右の支柱３内の下端部には、図２に示すように、スプロケット２６が回転可能に軸支されており、各スプロケット２６とその上方に配置された前記スプロケット２５には、各支柱２内に上下方向に長く配された無端状のローラチェーン２７が巻装されている。そして、左右のローラチェン２７の一部は、扉体１１の左右両側下端部に連結されている。即ち、図９及び図１０に示すように、軸１３によって扉体１１の左右両側下端部に支持された前記チャンネル部材１４にはブラケット２８がそれぞれ結着されており、各ブラケット２８には各ローラチェーン２７の一部が取り付けられている。
【００２８】
而して、上下一対のスプロケット２５，２６とこれらに巻装されたローラチェーン２７はチェーン伝動機構を構成しているが、本実施の形態では、このチェーン伝動機構は、左右の支柱２内に組み込まれて扉体１１の左右に配置され、両者は連結シャフト２１によって連結されている。そして、これらのチェーン伝動機構と前記電動モータ１９及び減速機構２０は、扉体１１を昇降動させるための駆動機構を構成している。
【００２９】
次に、以上の構成を有する電動式昇降型門扉１の作用について説明する。
【００３０】
扉体１１が図１及び図２に示すように垂直起立状態にあって、これが全閉されている状態から該扉体１１を開けるには、例えばリモコン操作によって電動モータ１９を正転させる。すると、電動モータ１９の回転は、減速機構２０によって所定の比率で減速されて出力軸２３に伝達され、該出力軸２３の回転は連結シャフト２１に伝達され、該連結シャフト２１が回転駆動されて左右のチェーン伝動機構が同時に駆動される。
【００３１】
即ち、連結シャフト２１が回転駆動されると、左右のチェーン伝動機構のスプロケット２５が回転駆動され、該スプロケット２５と下方のスプロケット２６に巻装されたローラチェーン２７が回転駆動され、該ローラチェーン２７に取り付けられた扉体１１の左右両側下端部が第１のガイドレール９に沿って上方へと引き上げられる。
【００３２】
上述のように扉体１１の左右両側下端部が第１のガイドレール９に沿って上方へ引き上げられると、同扉体１１の左右両側上端部は第２のガイドレール１０に沿って移動する。ここで、第２のガイドレール１０は、前述のように垂直部１０ａと水平部１０ｂをＲ状部１０ｃで連結して逆Ｌ字状に成形されているため、図４に鎖線にて示すように、扉体１１の左右両側上端部に設けられたガイドローラ１５が第２のガイドレール１０のＲ状部１０ｃから水平部１０ｂへと移動するに伴って扉体１１が回動し、その姿勢が垂直起立状態から斜め後方へと倒れる姿勢へと変化する。
【００３３】
そして、図４に実線にて示すように、左右のチェーン伝動機構によって扉体１１の左右両側下端部が第１のガイドレール９に沿って上限位置まで引き上げられた時点で、扉体１１は上方において水平全開状態となり、全開状態にある当該門扉１を人が通過して自由に出入りすることができる。
【００３４】
次に、水平全開状態にある扉体１１を閉じるには、例えばリモコン操作によって電動モータ１９を逆転させれば良い。すると、扉体１１は以上とは逆の動作によって姿勢を水平から垂直状態へと変化させ、図１及び図２に示すように垂直に起立して全閉状態となる。
【００３５】
即ち、電動モータ１９が逆転されると、減速機構２０によって一定の比率で減速された出力軸２３の回転は連結シャフト２１へと伝達され、該連結シャフト２１によって左右のチェーン伝動機構が同時に逆方向に駆動される。すると、左右のチェーン伝動機構のスプロケット２５が逆転され、ローラチェーン２７も逆方向に回転駆動されて扉体１１の左右両側下端部が第１のガイドレール９に沿って下方へと引き下げられる。
【００３６】
上述のように扉体１１の左右両側下端部が第１のガイドレール９に沿って下方へ引き下げられると、同扉体１１の左右両側上端部は第２のガイドレール１０の水平部１０ｂからＲ状部１０ｃを経て垂直部１０ａへと順次移動し、その過程で扉体１１が回動し、その姿勢が水平全開状態から起立する姿勢へと変化する。
【００３７】
そして、図４に実線にて示すように、左右のチェーン伝動機構によって扉体１１の左右両側下端部が第１のガイドレール９に沿って下限位置まで引き下げられた時点で、扉体１１は垂直起立状態となり、当該門扉１が全閉状態となって、人の通過が阻止されて自由な出入りが禁止される。
【００３８】
以上のように、本実施の形態に係る電動式昇降型門扉１においては、扉体１１を駆動機構である電動モータ１９と左右のチェーン電動機構によって昇降動させつつ、ガイド手段である第１及び第２のガイドレール９，１０によって該扉体１１を回動させてその姿勢を垂直全閉状態と水平全開状態との間で変化させてこれを開閉するようにしたため、地上に前後及び横方向の開き代が不要となり、当該電動式昇降型門扉１をコンパクトに設置することができるとともに、該門扉１を電動で操作性良く簡単に開閉することができる。この場合、扉体１１を昇降動させるための駆動機構を電動モータ１９とチェーン伝動機構を含んで簡素に構成することができ、扉体１１の左右に設けられたチェーン伝動機構を連結シャフト２１にて連結し、これらを電動モータ１９で同時に駆動するようにしたため、扉体１１の左右のバランスが良好に保たれ、該扉体１１がスムーズに昇降動して開閉される。
【００３９】
又、本実施の形態に係る電動式昇降型門扉１によれば、地上に走行用レール等の突起物を設置する必要がないため、バリアフリーの要求にも対応することができ、例えば車椅子での出入りも可能となる。
【００４０】
更に、本実施の形態に係る電動式昇降型門扉１に機能門柱４を一体に組み込んだため、省スペースとデザインの一体感の向上が図られる。
【図面の簡単な説明】
【００４１】
【図１】本発明に係る電動式昇降型門扉の斜視図である。
【図２】本発明に係る電動式昇降型門扉の正面図である。
【図３】本発明に係る電動式昇降型門扉の平面図である。
【図４】図２のＡ−Ａ線断面図である。
【図５】図２のＢ部拡大詳細図である。
【図６】図２のＣ部拡大詳細図である。
【図７】図３のＤ部拡大詳細図である。
【図８】図３のＥ部拡大詳細図である。
【図９】図２のＦ−Ｆ線拡大断面図である。
【図１０】図２のＧ−Ｇ線拡大断面図である。
【符号の説明】
【００４２】
１          電動式昇降型門扉
２          支柱
３          水平フレーム部材
４          機能門柱
５          表札
６          インターホン
７          電子錠
８          郵便受け
９          第１のガイドレール
１０        第２のガイドレール
１０ａ      垂直部
１０ｂ      水平部
１０ｃ      Ｒ状部
１１        扉体
１２        ガイドローラ
１３        軸
１４        チャンネル部材
１５        ガイドローラ
１６        ブラケット
１７        軸
１８        ルーフ部材
１９        電動モータ
２０        減速機構
２１        連結シャフト
２２        軸受部材
２３        出力軸
２４        カップリング
２５，２６  スプロケット
２７        ローラチェーン
２８        ブラケット
【図１】
2006328781.tif 000003
【図２】
2006328781.tif 000004
【図３】
2006328781.tif 000005
【図４】
2006328781.tif 000006
【図５】
2006328781.tif 000007
【図６】
2006328781.tif 000008
【図７】
2006328781.tif 000009
【図８】
2006328781.tif 000010
【図９】
2006328781.tif 000011
【図１０】
2006328781.tif 000012